(57)【特許請求の範囲】
【請求項１】
回転可能に支持された操作部を備え、この操作部を回転操作することによりパチンコ玉を打ち出す弾球部に供給する電力を制御して、弾球の飛距離を調整するパチンコ機の飛距離調整装置において、
操作部に相対するよう配置された基板と、
保持部を有する磁石と、
磁石に対向するよう基板に実装された磁気センサと、
操作部に設けられ、曲線中心が操作部の回転中心からずれ、磁石の保持部をガイドする曲線状のガイド部と、
基板の操作部相対側に取り付けられ、磁石を摺動可能に収納する磁石収納部を有する磁石ガイドと、
を備え、操作部の回転操作により、磁石の保持部が操作部のガイド部にガイドされつつ、磁石が磁石ガイドの磁石収納部内を操作部と平行方向に変位することで、磁気センサと磁石との相対位置が変化し、その相対位置の変化による磁気センサの出力信号に基づいて、弾球部に供給する電力を制御することを特徴とするパチンコ機の飛距離調整装置。
【請求項２】
前記磁石は、前記磁石ガイドの磁石収納部に当該磁石の変位方向に対して平行に収納されていることを特徴とする請求項１記載のパチンコ機の飛距離調整装置。
【請求項３】
前記磁石は、前記磁石ガイドの磁石収納部に当該磁石の変位方向に対して斜めに収納されていることを特徴とする請求項１記載のパチンコ機の飛距離調整装置。
【請求項４】
前記磁石は、そのＮ極とＳ極が磁気センサに対向するとともに、Ｎ極とＳ極が当該磁石の移動により磁気センサに対して変位するように配置されていることを特徴とする請求項２又は請求項３記載のパチンコ機の飛距離調整装置。
【請求項５】
前記磁石は、そのＮ極又はＳ極が磁気センサに対向するとともに、その対向する極が当該磁石の移動により磁気センサに対して変位するように配置されていることを特徴とする請求項２又は請求項３記載のパチンコ機の飛距離調整装置。
【請求項６】
前記磁石ガイドは、前記磁気センサを収納する磁気センサ収納部を有することを特徴とする請求項１記載のパチンコ機の飛距離調整装置。
【請求項７】
前記磁石が収納されるとともに前記保持部が設けられた磁石ケースを備え、この磁石ケースが前記磁石ガイドの磁石収納部に摺動可能に収納されることを特徴とする請求項１記載のパチンコ機の飛距離調整装置。
【請求項８】
前記ガイド部は、曲線状の溝であり、この溝に前記磁石ケースの保持部が挿通されることを特徴とする請求項７記載のパチンコ機の飛距離調整装置。
【請求項９】
前記ガイド部は、湾曲状に突出するものであり、このガイド部が前記磁石ケースに設けられた２つの円柱状の保持部間に挿通されることを特徴とする請求項７記載のパチンコ機の飛距離調整装置。
【発明の詳細な説明】
【０００１】
【発明の属する技術分野】
本発明は、パチンコ玉を打ち出す弾球部に供給する電力を制御して、弾球の飛距離を調整するパチンコ機の飛距離調整装置に関する。
【０００２】
【従来の技術】
パチンコ機には、ソレノイド等を用いて弾球槌を駆動する電動式のものがある。この種のパチンコ機においては、遊戯者が弾球の飛距離を自由に調整できることが必要である。そのため、従来の電動式のパチンコ機では、図１５に示すように、ハンドルの操作に応答してソレノイド１への通電を制御するソレノイド駆動回路３、ソレノイド駆動回路３によって通電され、励磁により弾球槌を動作させるソレノイド１、ソレノイド１によって駆動される弾球槌等からなる弾球部がパチンコ機内に備えられ、ソレノイド１に直列に接続した可変抵抗器２がハンドル内に設けられている。遊戯者がハンドルを操作することにより、可変抵抗器２の抵抗値が変化し、その抵抗値に応じてソレノイド駆動回路３からのソレノイド駆動電流が制御される結果、弾球槌がパチンコ玉を打つ打球力が加減され、弾球の飛距離を調整できる。
【０００３】
一方、実公平５−３２１４９号公報には、打球発射装置のハンドル装置が記載されている。このハンドル装置は、図１６に示すような構造である。即ち、パチンコ機のパチンコ台の前面枠５０に木ネジ１１により軸受カラー部１０が固定され、この軸受カラー部１０により支持軸１２が支持され、支持軸１２にハンドル１３が回転可能に取付けられている。又、軸受カラー部１０にはグリップベース１５が取付けられ、グリップベース１５にグリップカバー１４が取付けられている。ハンドル１３は、グリップカバー１４及びグリップベース１５によって挟着支持されている。
【０００４】
このハンドル装置では、遊戯者がハンドル１３を操作すると、それに伴ってハンドル１３の回転がリンク杆１６及び連結杆１７を介して回動軸１８に伝わる。回動軸１８の端部には駆動ギア１９が固定され、更に図１６には示していないが、駆動ギア１９に従動ギアが歯合し、従動ギアに取付けられた軸で可変抵抗器を回転操作するようになっている。従って、回動軸１８が回転すると、駆動ギア１９、従動ギア及び軸を介して可変抵抗器の抵抗が変化し、それにより前記の通り弾球の飛距離を調整できる。
【０００５】
又、特開平８−１１７３９９号公報には、パチンコ玉の打ち出し強度調整装置が記載されている。この強度調整装置は、ハウジングに設けられた支軸に円盤状の磁性体とハンドルが回転可能に軸支され、支軸に固定された回路基板にホール素子（磁気検知素子）が磁性体の外周面に対向するように実装され、角度検出手段がホール素子の出力に基づいてハンドルの回転角度を検出し、角度検出手段の検出値に応じてパチンコ玉の打ち出し強度を調整するものである。
【０００６】
【発明が解決しようとする課題】
しかしながら、上記図１５に示すような可変抵抗器を用いて弾球の飛距離を調整する場合、次のような問題点▲１▼〜▲３▼がある。
▲１▼一般的な可変抵抗器の寿命が軸の回転回数で１〜２万回と大変短く、長寿命のものでも精精数百万回であるため、パチンコ機のようにハンドルを頻繁に操作する場合は、可変抵抗器を定期的に交換する必要があり、取扱い（定期点検、交換等）に問題がある。
▲２▼長寿命の可変抵抗器は、価格が非常に高価であり、これを用いるとコスト高になる。
▲３▼可変抵抗器の接触子が接触不良を起こし易く、信頼性が劣る。
【０００７】
又、図１６に示すような構造のハンドル装置では、次のような問題点▲１▼，▲２▼がある。
▲１▼ハンドル１３によって可変抵抗器を操作するのに、リンク杆１６、連結杆１７、回動軸１８、駆動ギア１９、従動ギア等の部品点数が多く、組立も煩雑でコストが高い。
▲２▼可変抵抗器を回転させるために回動軸１８、駆動ギア１９、従動ギア等を使用するので、それらの部品に高精度が要求されると共に、軸芯合せのために組立調整が難しい。
【０００８】
更に、前記強度調整装置では、次のような問題点▲１▼〜▲５▼がある。
▲１▼外周面が１８０°ずつに２極着磁された円盤状の磁性体を使用するため、磁気検知素子からは、近似サインカーブの出力特性（ハンドルの回転角度と出力電圧）しか得られず、ハンドルの回転角度に比例した直線的な出力特性を得るには、狭い回転角度範囲に限定されてしまう。従って、狭い回転角度範囲では、弾球の飛距離調整が難しい。
▲２▼▲１▼の理由により、各種弾球部の特性に応じた制御出力を提供することができない。
▲３▼部品点数が多く、組立も煩雑でコストが高い。
▲４▼磁性体が大きな円盤状であり、高価な磁性体を多量に使用するため、経済的な問題が大きい。
▲５▼精確な回転角度を検出するためには、構造的に或る程度強い磁力の磁石を必要とする。しかし、磁気カードや磁気ディスク等の磁気を利用した記憶媒体を多用する現在では、強い磁力の影響で記憶媒体の情報が消去されてしまう危険が大きい。
【０００９】
従って、本発明は、上記様々な問題点に着目してなされたもので、次の項目ａ〜ｅを達成するパチンコ機の飛距離調整装置を提供することを目的とする。
ａ）長寿命、高信頼性である。
ｂ）構造が簡単で、組立・調整が容易であり、価格が安価である。
ｃ）自由な出力特性（ハンドルの回転角度と出力電圧特性）及びハンドルの広い回転角度範囲を得る。
ｄ）小さな磁石でも、回転角度を精確に検出する。
ｅ）磁気を利用した記憶媒体等の機器に磁気の影響を与えない。
【００１０】
【課題を解決するための手段】
前記目的を達成するために、本発明の請求項１記載のパチンコ機の飛距離調整装置は、回転可能に支持された操作部を備え、この操作部を回転操作することによりパチンコ玉を打ち出す弾球部に供給する電力を制御して、弾球の飛距離を調整するものにおいて、操作部に相対するよう配置された基板と、保持部を有する磁石と、磁石に対向するよう基板に実装された磁気センサと、操作部に設けられ、曲線中心が操作部の回転中心からずれ、磁石の保持部をガイドする曲線状のガイド部と、基板の操作部相対側に取り付けられ、磁石を摺動可能に収納する磁石収納部を有する磁石ガイドと、を備え、操作部の回転操作により、磁石の保持部が操作部のガイド部にガイドされつつ、磁石が磁石ガイドの磁石収納部内を操作部と平行方向に変位することで、磁気センサと磁石との相対位置が変化し、その相対位置の変化による磁気センサの出力信号に基づいて、弾球部に供給する電力を制御することを特徴とする。
【００１１】
この飛距離調整装置では、磁石が操作部の回転操作に連動して変位するように配置され、その磁石に対向して磁気センサが配置されているので、遊戯者が操作部を回転操作すれば、磁石が変位する結果、磁気センサの周囲の磁界の強さが変化し、磁気センサはその磁界の強さの変化を電気信号に変換して出力する。この出力信号に基づいて弾球部に電力が供給され、弾球部が打ち出す弾球の飛距離が調整される。
【００１２】
この飛距離調整装置においては、操作部を含むハンドル装置内に磁気センサ及び磁石を対向配置することにより、ハンドル装置の構造を簡素化でき、組立調整を容易にすることができる。又、磁石を操作部に連動して直線的に変位させ、操作部の移動量又は回転角度に対する磁石の変位量を必要に応じて調整することにより、自由な特性（操作部の移動量又は回転角度と出力電圧の特性）を得ることができる。
【００１３】
なお、本発明において、磁気センサとしては、磁界の強さの変化を電気信号として取り出すことができるものであればよく、ホール素子、磁気抵抗素子〔例えばマグネティック・レジスタンス・センサ（ＭＲセンサ）〕が例示される。
【００１４】
【発明の実施の形態】
以下、本発明を実施の形態に基づいて説明する。
その一実施形態に係るパチンコ機の飛距離調整装置を、図１６のような構造のハンドル装置内に組み込んだ状態の断面図を図１に、同飛距離調整装置の要部平面図を図２に、同飛距離調整装置の要部断面図を図３に、同飛距離調整装置の主要部の連結構造を示す部分分解斜視図を図４に示す。但し、図１において、図１６と同じ要素には同一符号を付してある。
【００１５】
このハンドル装置では、前記と同様にパチンコ機のパチンコ台の前面枠５０に木ネジ１１により軸受カラー部１０が固定されている。この軸受カラー部１０の後端には、基板部２０に挿通したシャフト２１が支持軸１２の後端に形成した袋ナット部２２に螺着されることで、基板部２０が取付けられている。シャフト２１と同心上に支持された支持軸１２には、操作部としてのハンドル１３が回転可能に装着されている。ハンドル１３は、軸受カラー部１０に取付けられたグリップベース１５と、このグリップベース１５に止着されたグリップカバー１４とにより、回転可能に挟着支持されている。グリップカバー１４及びグリップベース１５は、ハンドル１３に向かって開放する皿状を呈している。
【００１６】
グリップカバー１４は、ハンドル１３に形成された遊嵌口２４を挿通し、且つグリップベース１５に向かって突出する複数の脚２５，２６（２本のみ示す）を有する。それらの脚のうち、脚２５の先端には係止片２７が形成され、この係止片２７に対応して、グリップベース１５には脚係合部２８が形成されている。係止片２７と脚係合部２８を係合させることで、グリップベース１５に対するグリップカバー１４の正確な位置決めを行えるようになっている。一方、脚２６はグリップベース１５に設けた脚受部２９にネジ３０によって取付けられる。これにより、グリップカバー１４がグリップベース１５に固定される。
【００１７】
ハンドル１３とグリップベース１５との間には、円板状のプリント基板４０が配置されている。プリント基板４０は、中心の位置にハンドル１３の支持軸挿通部１３ａを受容する円形穴４５と、端部寄りの位置に１８０°の角度を置く２つのネジ穴４６と、磁石ガイド６０の取付部６３を嵌合させる２つの取付穴４７とを有する。プリント基板４０は、ネジ穴４６に挿通されたネジ４１により、グリップベース１５のプリント基板受部１５ａに固定される。又、プリント基板４０には、磁気センサＳと各種電子部品４９が実装されると共に、リード線４３が接続され、リード線４３は、軸受カラー部１０に形成された貫通孔３６を通じてハンドル装置外部に導出され、パチンコ機内に設けられたソレノイド駆動回路（図示せず、図１５参照）に配線される。
【００１８】
磁石ガイド６０は、その底部から突出する取付部６３がプリント基板４０の取付穴４７に嵌合されてカシメられることで、プリント基板４０に取付けられる。磁石ガイド６０は、磁石ケース７０で覆われた角柱状の磁石Ｍを摺動可能に収納する磁石収納部６１と、この磁石収納部６１とは反対側に磁気センサＳを収納する磁気センサ収納部６２とを有する。磁石収納部６１は、磁石ケース７０の大きさより大きく、磁石Ｍを含む磁石ケース７０が磁石収納部６１内を移動できるようになっている。磁気センサ収納部６２は、磁気センサＳを磁石収納部６１（即ち磁石ケース７０）に対向する位置で保持する。なお、磁石収納部６１と磁気センサ収納部６２は連通していてもよいし、双方の間に僅かな厚さの壁が存在していても構わない。
【００１９】
磁石Ｍはそのまま磁石ガイド６０の磁石収納部６１に収納されるのではなく、磁石ケース７０で覆われた状態で収納される。磁石の各サイズ（長さｌ、幅ｗ、厚みｔ）については後述する。磁石ケース７０は円柱状に突出する保持部７１を有し、この保持部７１は磁石ケース７０を磁石収納部６１に収納した状態で磁石ガイド６０から突出する。なお、磁石ケース７０は省いてもよく、その場合は、保持部７１のみを磁石Ｍに接着剤等で固着したり、或いは一体成形して設けたりすればよい。
【００２０】
又、外部磁気の影響を受け難くすると共に、内部磁石Ｍの磁気が外部に漏れ難くするために、磁石Ｍ、磁気センサＳ、磁石ガイド６０及び磁石ケース７０（保持部７１を除く）は、磁性体からなるシールド筐体８０と、同様に磁性体からなり、シールド筐体８０に取付けられたシールドカバー８１とで覆われている。
ハンドル１３は、曲線状の溝からなるガイド部１７を有し、このガイド部１７は、磁石ケース７０の保持部７１が挿通された状態で保持部７１を摺動可能にガイドする。図２から明らかなように、ガイド部１７の曲線中心は、ハンドル１３の回転中心（支持軸挿通部１３ａの中心）からずれている。磁石ケース７０は磁石ガイド６０に収納されているため、ハンドル１３が回転操作されると、ガイド部１７が移動することにより、保持部７１（即ち磁石ケース７０）はガイド部１７により押されて図２の矢印方向に直線運動する。この磁石ケース７０の移動は、磁石ガイド６０の磁石収納部６１により許容される。磁石ケース７０が移動することで、磁気センサＳに対する磁石Ｍの位置が変化する。
【００２１】
但し、この実施形態では、磁気センサＳが固定され、磁石Ｍがハンドル１３の回転操作により変位するように構成されているが、同様の構造で磁気センサＳがハンドル１３の回転操作により変位するように、磁石Ｍと磁気センサＳの取付位置を変更してもよい。
このように構成した飛距離調整装置では、ハンドル１３が回転操作されると、ハンドル１３のガイド部１７の動きによって、磁石ケース７０（即ち磁石Ｍ）が直線運動を行い、磁石ＭのＮ極とＳ極との境界が磁気センサＳに沿って変位する。従って、磁気センサＳは、磁石Ｍの変位度合（ハンドル１３の回転角度）に応じた電圧を出力し、この出力に基づいて弾球部に供給される電力が制御され、弾球部に設けられた弾球槌の打球力が強弱に調整される。
【００２２】
ハンドル１３の回転角度に対する磁石Ｍの変位量は、ハンドル１３に設けるガイド部１７の曲線形状を変えることにより、必要に応じて自由に調整することができる。例えば、ガイド部１７の形状を、ガイド部１７の中心からハンドル１３の回転中心までの長さＬ（図２参照）の回転角度に対する変化量を大きくする（長さＬを長くする）曲線にすれば、磁石Ｍの変位量が大きくなり、反対に長さＬの回転角度に対する変化量を小さくする（長さＬを短くする）曲線にすれば、磁石Ｍの変位量が小さくなる。
【００２３】
又、ハンドル１３の回転範囲は、ハンドル１３に設けるガイド部１７の角度範囲θ（図２参照）を変えることにより、必要に応じて０°から無限の範囲で自由に調整することができる。例えば、ガイド部１７の角度範囲θを大きくすれば、ハンドル１３の回転範囲を大きくでき、反対に角度範囲θを小さくすれば、ハンドル１３の回転範囲を小さくできる。
【００２４】
次に、上記飛距離調整装置における回路例について説明する。図５は、回路構成の一例を示すブロック図で、図７は、磁気センサＳとしてホール素子ＳＸを用いた場合の一例である。図５では、ハンドル１３の回転操作による磁石Ｍの変位を検出する磁気センサＳには増幅器４が接続され、増幅器４は磁気センサＳの電圧出力を増幅し、ハンドル１３の回転角度出力として信号を出力する。増幅器４にはコンバータ５とバイアスＶＲ６が接続され、コンバータ５は増幅器４からの入力電圧を駆動パルス幅又は駆動電流のレベルに変換し、ソレノイド駆動回路３に出力し、バイアスＶＲは磁石Ｍが基準位置（ハンドル１３の回転角度が０°）にあるときの出力電圧を所定の電圧に調整する。コンバータ５に接続されたソレノイド駆動回路３は、ソレノイド１に接続されており、コンバータ５からの入力信号に応じてソレノイド１へ電力を供給し、ソレノイド１はその電力に応じた励磁により打球槌を動作させる。
【００２５】
ところで、パチンコ機では、駆動パルス幅（駆動電流一定）と飛距離との関係及び駆動電流（パルス幅一定）と飛距離との関係は、それぞれ図６の（ａ），（ｂ）に示すようになっている。従って、上記のような回路構成により、磁気センサＳの検出出力の変化に応じて、ソレノイド１の駆動電流を一定にして駆動パルス幅を変化させることにより、又はソレノイド１の駆動パルス幅を一定にして駆動電流のレベルを変化させることにより、ソレノイド１の駆動電力を制御して、パチンコ玉の飛距離を調整することができる。
【００２６】
図７において、可変抵抗器ＶＲ1 は、増幅器ＩＣ2 のオフセットやホール素子ＳＸのバランスを調整するもので、磁石Ｍが基準位置に位置するときＯＵＴを所定電圧に調整するためのものである。
ＶCC−ＶEE間に印加された電圧は、抵抗Ｒ1 ，Ｒ2 を経て、ホール素子ＳＸに流れる。ホール素子ＳＸに磁気がない場合、抵抗Ｒ3 ，Ｒ4 に接続される出力部には、電圧は発生しない。これは、ホール素子ＳＸに磁石ＭのＮ極とＳ極との境界が対面する場合も同様である。ここで、ハンドル１３が回転操作され、ホール素子ＳＸに磁石ＭのＳ極側が近づくと、抵抗Ｒ4 に接続されたホール素子ＳＸの端子側にプラス電圧が発生する。このホール素子ＳＸの出力電圧は、増幅器ＩＣ2 に入力され、抵抗Ｒ5 により定められた増幅率によってＯＵＴよりプラス電圧として出力される。
【００２７】
反対に、ハンドル１３が回転操作され、ホール素子ＳＸに磁石ＭのＮ極側が近づくと、抵抗Ｒ4 に接続されたホール素子ＳＸの端子側にマイナス電圧が発生する。このホール素子ＳＸの出力電圧は、増幅器ＩＣ2 に入力され、抵抗Ｒ5 により定められた増幅率によってＯＵＴよりマイナス電圧として出力される。
従って、可変抵抗器ＶＲ1 により、磁石Ｍが基準位置（ハンドル１３の回転角度が０°）に位置するときのＯＵＴを所定電圧に調整すればよい。このとき、ハンドル１３の回転角度と出力電圧との関係は、図８に示すように直線的であり、ハンドル１３の回転角度に比例して出力電圧が変化する。
【００２８】
勿論、図７の回路において、ホール素子ＳＸの出力端子を入れ換えれば、Ｎ極とＳ極の検知を逆にすることも可能である。又、ホール素子ＳＸの出力を増幅器ＩＣ2 の入力部のプラス・マイナスに逆に入力することによっても、逆の出力を取り出すことが可能である。
上記実施形態に係る飛距離調整装置は、磁石ＭのＮ極とＳ極との境界が磁気センサＳに沿って変位するものであるが、別の形態を図９及び図１０に示す。但し、前記実施形態と同じ要素には同一符号を付してある。図９では、磁石Ｍが磁石ケース７０に磁石Ｍの変位方向に対して斜めに保持され、それに応じて磁石ガイド６０の磁石収納部６１の幅が大きく設定されている。この場合、ハンドル１３が回転操作されると、ハンドル１３のガイド部１７の動きによって、磁石ケース７０（即ち磁石Ｍ）が矢印方向の直線運動を行うと共に、磁石Ｍと磁気センサＳとの距離も変化する。
【００２９】
図１０では、磁石Ｍが磁石ケース７０に磁石Ｍの変位方向に対して斜めに保持され、それに応じて磁石ガイド６０の磁石収納部６１の幅が大きく設定され、更に磁石ＭのＮ極が磁気センサＳに対向している。この場合、ハンドル１３が回転操作されると、ハンドル１３のガイド部１７の動きによって、磁石ケース７０（即ち磁石Ｍ）が矢印方向の直線運動を行うと共に、磁石ＭのＮ極と磁気センサＳとの距離も変化する。
【００３０】
図９及び図１０のような形態とすることで、自由な出力特性（ハンドル１３の回転角度と出力電圧特性）を得ることができる。勿論、図９及び図１０では、磁気センサＳは磁石Ｍの変位方向に対して平行（磁石Ｍに対しては斜め）としているが、磁石Ｍに対して平行に配置してもよい。
ここで、磁石Ｍの具体的な大きさについて付言する。一般的に磁気センサＳの感磁部の大きさはおよそφ１ｍｍであるため、磁石Ｍの厚みｔは１．５ｍｍ位で十分である。磁石Ｍの変位量は自由に調整できるので、磁石Ｍの長さｌは３〜４ｍｍ位で十分である。又、磁石Ｍの幅ｗは１ｍｍ程度あれば、磁石ケース７０にしっかりと保持することができる。
【００３１】
このように、磁石Ｍは極めて小さなものであっても、磁気センサＳは磁石Ｍの磁気変化を精確に検知することができる。しかも、磁石Ｍは、磁石ケース７０に確実に保持されているので、磁石ケース７０の変位時に横ずれを起こしたりするようなことはなく、磁気センサＳに非常に接近させることができる。このため、磁石Ｍとしては、ゴム磁石等で十分である。又、それほど磁力の強い磁石を必要としないので、パチンコ機の飛距離調整装置の外部に及ぼす磁気の影響は極めて少ない。
【００３２】
更に別実施形態に係る飛距離調整装置の要部平面図を図１１に示す。この飛距離調整装置では、磁気センサＳは、ハンドル１３に連動して磁石ＭのＮ極又はＳ極（ここではＮ極）が近づいたり遠ざかったりする位置に配置されている。即ち、磁気センサＳは磁石ＭのＮ極又はＳ極側（ここではＮ極側）に配置されている。勿論、磁気センサＳは示された位置とは反対側の位置に配置してもよい。この場合、磁石Ｍと磁気センサＳとの距離と磁気センサＳの出力との関係は、距離の二乗に反比例するため、ハンドル１３のガイド部１７の形状は、ハンドル１３の回転角度に対し、磁石Ｍの移動距離が二乗に反比例するような形状にする必要がある。
【００３３】
この飛距離調整装置では、ハンドル１３が回転操作されると、ハンドル１３のガイド部１７の動きによって、磁石ケース７０（即ち磁石Ｍ）が矢印方向に直線運動を行い、磁石ＭのＮ極（又はＳ極）が磁気センサＳに近づいたり遠ざかったりする。従って、磁気センサＳは、磁石Ｍの変位度合（ハンドル１３の回転角度）に応じて電圧を出力する。
【００３４】
上記実施形態では、いずれもハンドル１３のガイド部１７が溝であり、この溝に磁石ケース７０の保持部７１を挿通させているが、別の形態を図１２に示す。図１２では、ハンドル１３は湾曲状に突出するガイド部１７′を有し、磁石ケース７０は２つの円柱状の保持部７１ａ，７１ｂを有し、ガイド部１７′が保持部７１ａ，７１ｂの間に挿通されることで、ハンドル１３の回転操作により磁石ケース７０が変位するようになっている。このような形態にすることで、ハンドル１３に溝のガイド部１７を形成する場合に比べて、ハンドル１３の強度低下を防止することができる。
【００３５】
更に別実施形態に係る飛距離調整装置の要部平面図を図１３の（ａ）に、要部断面図を図１３の（ｂ）に示す。この飛距離調整装置では、前記と同様にハンドル１３とグリップベース１５との間にプリント基板４０が設けられ、プリント基板４０はグリップベース１５のプリント基板受部１５ａにネジで固定されている。プリント基板４０には、ハンドル１３の回転角度を検出する磁気センサＳと各種電子部品４９が実装されている。ここでは、ハンドル１３に、プリント基板４０側に円弧状に突出する磁石収納部６５が設けられ、円弧状の磁石Ｍが磁気センサＳに対向して磁石収納部６５に収納固定されている。円弧状の磁石収納部６５、即ち円弧状の磁石Ｍは、ハンドル１３の回転操作により磁気センサＳとの距離が変化するように、つまり磁石Ｍの円弧の中心とハンドル１３の回転中心とが異なる位置になるように配置されている。
【００３６】
なお、図１３では、磁石ＭのＮ極とＳ極を共に磁気センサＳに対向させて変位させているが、図１４に示すように、磁石ＭのＮ極又はＳ極（図ではＮ極）のみを磁気センサＳに対向させて変位させるようにしてもよい。
図１３のように構成した飛距離調整装置では、ハンドル１３が回転操作されると、磁石Ｍが回転運動を行い、磁石ＭのＮ極とＳ極との境界が磁気センサＳに沿って変位する。このとき、磁石Ｍと磁気センサＳとの距離も変化する。又、図１４の場合は、ハンドル１３の回転操作により、磁石ＭのＮ極（又はＳ極）が磁気センサＳに沿って変位すると共に、磁石ＭのＮ極（又はＳ極）と磁気センサＳとの距離が変化する。従って、いずれの場合も、磁気センサＳは、磁石Ｍの変位度合（ハンドル１３の回転角度）に応じた電圧を出力する。
【００３７】
ハンドル１３の回転角度に対する磁石Ｍと磁気センサＳとの距離の変位量は、ハンドル１３に取付ける磁石Ｍの形状（必ずしも円弧状でなくてもよく、必要に応じた別の曲形状又は直線的形状であればよい）を変えることにより、必要に応じて自由に調整することができる。従って、自由な出力特性を得ることができる。
【００３８】
【発明の効果】
本発明のパチンコ機の飛距離調整装置は、以上説明したように構成されるので、次の効果を有する。
（１）磁気センサが無接点で操作部の移動量（回転角度）を検出するので、長寿命・高信頼性である。
（２）構造が簡単で、組立・調整が容易であり、価格が安価である。
（３）磁石の変位を直線運動とすることができ、これと併せて磁石の形状や操作部の形状の変更等により、自由な出力特性（操作部の回転角度と出力電圧特性）及び操作部の広い回転角度範囲を得ることができる。
（４）特に外部に磁気の影響を及ぼす磁石の使用量が極めて少なくて済み、コストを抑制できると共に、磁気カードや磁気ディスク等の磁気を利用した機器に対して、安心して使用できる。
（５）磁石及び磁気センサの位置決めが簡単になる。
【図面の簡単な説明】
【図１】一実施形態に係るパチンコ機の飛距離調整装置を組み込んだハンドル装置の断面図である。
【図２】同飛距離調整装置の要部平面図である。
【図３】同飛距離調整装置のシールド筐体及びシールドカバーを取付けた状態の要部断面図である。
【図４】同飛距離調整装置における主要部の連結構造を示す部分分解斜視図である。
【図５】同飛距離調整装置の回路構成の一例を示すブロック図である。
【図６】同飛距離調整装置において、パチンコ玉の飛距離と駆動電流の駆動パルス幅との関係を示すグラフ（ａ）、及びパチンコ玉の飛距離と駆動電流のレベルとの関係を示すグラフ（ｂ）である。
【図７】磁気センサにホール素子を用い、磁石の移動をアナログ出力する場合の回路例である。
【図８】同飛距離調整装置で得られるハンドルの回転角度とアナログ出力回路の出力電圧との関係を示すグラフである。
【図９】別実施形態に係る飛距離調整装置の要部平面図である。
【図１０】更に別実施形態に係る飛距離調整装置の要部平面図である。
【図１１】更に別実施形態に係る飛距離調整装置の要部平面図である。
【図１２】更に別実施形態に係る飛距離調整装置の主要部の連結構造を示す部分分解斜視図である。
【図１３】更に別実施形態に係る飛距離調整装置の要部平面図（ａ）、及び要部断面図（ｂ）である。
【図１４】図１３の飛距離調整装置の要部を変更した要部平面図である。
【図１５】従来例に係るパチンコ機の飛距離調整装置を示すブロック図である。
【図１６】従来例に係るパチンコ機のハンドル装置を示す断面図である。
【符号の説明】
Ｍ                磁石
Ｓ                磁気センサ
１３              ハンドル（操作部）
１７，１７′      ガイド部
４０              プリント基板
６０              磁石ガイド
６１，６５        磁石収納部
７０              磁石ケース
７１（ａ，ｂ）    保持部
【図１】
0004162287.tif 000002
【図２】
0004162287.tif 000003
【図３】
0004162287.tif 000004
【図４】
0004162287.tif 000005
【図５】
0004162287.tif 000006
【図６】
0004162287.tif 000007
【図７】
0004162287.tif 000008
【図８】
0004162287.tif 000009
【図９】
0004162287.tif 000010
【図１０】
0004162287.tif 000011
【図１１】
0004162287.tif 000012
【図１２】
0004162287.tif 000013
【図１３】
0004162287.tif 000014
【図１４】
0004162287.tif 000015
【図１５】
0004162287.tif 000016
【図１６】
0004162287.tif 000017